(57)【要約】 【課題】  押しボタンの視認性を確保すると共に、誤操作を低減させることができる降車合図用押しボタンスイッチを提供する。【解決手段】  ケースに設けた押しボタンを予め設定した変位量だけ押下することによって同ケースの表面に設けた点灯部を点灯させるように構成した降車合図用押しボタンスイッチにおいて、同ケースの表面側に設けられた凹部に前記押しボタンスイッチを設けるとともに、前記凹部周縁には、凹凸から形成される曲面部を備えた。【選択図】          図１
2008186735.tif 000002
【特許請求の範囲】
【請求項１】
ケースに設けた押しボタンを予め設定した変位量だけ押下することによって同ケースの表面に設けた点灯部を点灯させるように構成した降車合図用押しボタンスイッチにおいて、  同ケースの表面側に設けられた凹部に前記押しボタンスイッチを設けるとともに、
前記凹部周縁には、凹凸から形成される曲面部を備える、
ことを特徴とする降車合図用押しボタンスイッチ。
【発明の詳細な説明】
【技術分野】
【０００１】
本発明は、路線バス等の車両内に設置される降車合図用押しボタンスイッチであって、詳しくは、乗客が次の停留所で降車したい場合にこの押しボタンスイッチを押して運転手に降車意思を伝えるとともに、他の乗客に次の停留所で停車することを知らせるための降車合図用押しボタンスイッチに関する。
【背景技術】
【０００２】
この種の降車合図用押しボタンスイッチとしては次のような構成が知られている。即ち、降車合図用押しボタンスイッチは、例えば路線バス等の車両内における柱、窓枠及び天井等にそれぞれ設置されている。降車しようとする乗客は、この押しボタンスイッチの押しボタンを押下することによって、当該押しボタンスイッチを含む車両内の全ての押しボタンスイッチの点灯部及び運転席近傍に設けられた降車表示器の点灯部をそれぞれ点灯させ、降車意思を運転手及び他の乗客に伝える。
【０００３】
しかしながら、前記従来の降車合図用押しボタンスイッチにおいては、走行している車両の動揺によって乗客が意に反して押しボタンを押下する場合があり、誤停車等の一因となっていた。この問題を解決するために、例えば特許文献１に示される車両用押しボタンスイッチが従来から提案されている。この車両用押しボタンスイッチのケースには押しボタン取付部が凹設されており、同押しボタン取付部の内底面には押しボタン取付孔が形成されている。押しボタン取付孔には押しボタンがケース内に凹没するように取り付けられている。これにより、乗客の意に反して手や荷物が車両用押しボタンスイッチの表面に当たっても押しボタンは押下されにくく、誤操作が防止が図られる。
【０００４】
【特許文献１】特開公報平９−２１３１６４号
【発明の開示】
【発明が解決しようとする課題】
【０００５】
ところが、前記従来の降車合図用押しボタンスイッチにおいては、次のような問題があった。即ち、押しボタンはケース内に凹没しているので、車両用押しボタンスイッチの車両内における取り付け位置によっては、押しボタンがケースの影になり、当該押しボタンが見えにくくなるおそれがあった。
【０００６】
本発明は上記問題点を解決するためになされたものであって、その目的は、押しボタンの視認性を確保すると共に、誤操作を低減させることができる車両用押しボタンスイッチを提供することにある。
【課題を解決するための手段】
【０００７】
前記目的を達成するために、本発明のうちで請求項１に記載の降車合図用押しボタンスイッチは、
ケースに設けた押しボタンを予め設定した変位量だけ押下することによって同ケースの表面に設けた点灯部を点灯させるように構成した降車合図用押しボタンスイッチにおいて、  同ケースの表面側に設けられた凹部に前記押しボタンスイッチを設けるとともに、前記凹部周縁には、凹凸から形成される曲面部を備える、ことを特徴とする。
【発明の効果】
【０００８】
請求項１に記載の降車合図用押しボタンスイッチによれば、
同ケースの表面側に設けられた凹部に前記押しボタンスイッチを設けたので、意に反する誤動作（誤押し）を防止することができる。また、凹部周縁には、凹凸から形成される曲面部を備えたので、点灯部の視認性を向上させることができる。
【発明を実施するための最良の形態】
【０００９】
以下、本発明を、例えば路線バスの降車合図ボタンスイッチに具体化した第１実施形態を図１〜図６に従って説明する。
【００１０】
（第１の実施形態）
図１に、第１の実施形態における斜視図、正面図、背面図、左側面図、平面図およびＡ−Ａ断面図を示す。右側面図は、左側面図と左右対称に表れるので省略している。また、底面図は、平面図と上下対称に表れるので省略している。また、Ａ−Ａ断面図は、内部の部品等の構成を省略して示している。また、ケース本体の上下に表れる一対の円形部分は、壁等にネジ等で設置するための穴である。
【００１１】
図中の「とまります」と記載された部分は点灯部、「お降りの方はこのボタンを押して下さい」と記載された部分は押しボタンを示している。Ａ−Ａ断面図から分かるように、押しボタン部は、ケースの凹部に形成されている。この実施形態では、点灯部と押しボタン部をシートスイッチにして一体化しているため、全体を薄く構成することができるとともに、部品点数を少なくすることができる。
【００１２】
（第２の実施形態）
図２に、第２の実施形態における斜視図、正面図、背面図、左側面図、平面図およびＡ−Ａ断面図を示す。右側面図は、文字が記載されている部分を除き、左側面図と左右対称に表れるので省略している。また、底面図は、平面図と上下対称に表れるので省略している。また、Ａ−Ａ断面図は、内部の部品等の構成を省略して示している。また、ケース本体の上下に表れる一対の円形部分は、壁等にネジ等で設置するための穴である。
【００１３】
図中の「とまります」と記載された部分は点灯部、「お降りの方はこのボタンを押して下さい」と記載された部分は押しボタンを示している。Ａ−Ａ断面図から分かるように、押しボタン部は、ケースの凹部に形成されている。また、左側面図から分かるように、凹部の両側は緩やかな凹面を形成している。点灯部は、従来のようなレンズ部品とせず、ケースと一体化しているため、部品点数が少なくなっている。
【００１４】
（第３の実施形態）
図３に、第３の実施形態における斜視図、正面図、背面図、左側面図、平面図およびＡ−Ａ断面図を示す。右側面図は、左側面図と左右対称に表れるので省略している。また、底面図は、平面図と上下対称に表れるので省略している。また、Ａ−Ａ断面図は、内部の部品等の構成を省略して示している。また、ケース本体の上下に表れる一対の円形部分は、壁等にネジ等で設置するための穴である。
【００１５】
図中の「とまります」と記載された部分は点灯部、「お降りの方はこのボタンを押して下さい」と記載された部分は押しボタンを示している。本実施形態では、押しボタン部を大きくし、点灯部を押しボタンに内包するようにしている。Ａ−Ａ断面図から分かるように、押しボタン部は、ケースの凹部に形成されている。また、左側面図から分かるように、凹部の両側は緩やかな凹面を形成している。また、押しボタン表面には点字を設けており、視覚障害者への配慮もなされている。
【００１６】
（第４の実施形態）
図４に、第４の実施形態における斜視図、正面図、背面図、左側面図、右側面図、平面図、底面図およびＡ−Ａ断面図を示す。Ａ−Ａ断面図は、内部の部品等の構成を省略して示している。また、ケース本体の上下に表れる一対の円形部分は、壁等にネジ等で設置するための穴である。
【００１７】
図中の「とまります」と記載された部分は点灯部、「お降りの方はこのボタンを押して下さい」と記載された部分は押しボタンを示している。本実施形態では、Ａ−Ａ断面図から分かるように、ケースの上下を頂点として中央部を凹ませており、押しボタンの部分をさらに一段落とし込むように形成している。
【００１８】
（第５の実施形態）
図５に、第５の実施形態における斜視図、正面図、背面図、左側面図、右側面図、平面図、底面図およびＡ−Ａ断面図を示す。Ａ−Ａ断面図は、内部の部品等の構成を省略して示している。また、ケース本体の上下に表れる一対の円形部分は、壁等にネジ等で設置するための穴である。
【００１９】
図中の「とまります」と記載された部分は点灯部、「お降りの方はこのボタンを押して下さい」と記載された部分は押しボタンを示している。本実施形態では、点灯部には文字だけでなく絵を表示することで親しみ易さを付加している。Ａ−Ａ断面図から分かるように、押しボタンの位置を点灯部より下げて構成している。また、押しボタンを下部から押しやすくするために、凹みを持たせている。
【００２０】
（第６の実施形態）
図６に、第６の実施形態における斜視図、正面図、背面図、左側面図、平面図、底面図およびＡ−Ａ断面図を示す。右側面図は、左側面図と左右対称に表れるので省略している。Ａ−Ａ断面図は、内部の部品等の構成を省略して示している。また、ケース本体の上下に表れる一対の円形部分は、壁等にネジ等で設置するための穴である。
【００２１】
図中の「とまります」と記載された部分は点灯部、「お降りの方はこのボタンを押して下さい」と記載された部分は押しボタンを示している。本実施形態では、ケースの表面形状を盛り上げて曲面状とすることで、相対的に押しボタンの部分を引っ込めるようにしている。また、点灯部もケース表面から少し凹んだ位置に形成しており、直射日光が当たっても凹んでいるため影ができ、点灯した場合には視認性が良い。
【図面の簡単な説明】
【００２２】
【図１】本発明の降車合図用押しボタンスイッチの第１の実施形態である。
【図２】本発明の降車合図用押しボタンスイッチの第２の実施形態である。
【図３】本発明の降車合図用押しボタンスイッチの第３の実施形態である。
【図４】本発明の降車合図用押しボタンスイッチの第４の実施形態である。
【図５】本発明の降車合図用押しボタンスイッチの第５の実施形態である。
【図６】本発明の降車合図用押しボタンスイッチの第６の実施形態である。
【図１】
2008186735.tif 000003
【図２】
2008186735.tif 000004
【図３】
2008186735.tif 000005
【図４】
2008186735.tif 000006
【図５】
2008186735.tif 000007
【図６】
2008186735.tif 000008